(57)【特許請求の範囲】
【請求項１】
長尺の用紙が巻回されてなるロール紙を収容し該ロール紙を最外周に巻回された部分から順に巻きほどき所定長に切断して供給するロール紙収容部と、
前記ロール紙収容部の下部に配置され、所定サイズに切断されたカット紙が積み重ねられて収容され該カット紙を最上位に積み重ねられたカット紙から順に一枚ずつ供給するカット紙収容部と、
前記ロール紙収容部が上部に配置されるとともに前記カット紙収容部が下部に配置される間の位置に配置された加温ヒータとを備えたことを特徴とする給紙装置。
【請求項２】
前記ロール紙収容部は引出し自在に構成され、前記加温ヒータは前記ロール紙収容部下部に取り付けられて該ロール紙収容部とともに引出されるものであることを特徴とする請求項１記載の給紙装置。
【請求項３】
長尺の用紙が巻回されてなるロール紙を収容し該ロール紙を最外周に巻回された部分から順に巻きほどき所定長に切断して供給するロール紙収容部と、
前記ロール紙収容部の下部に配置され、所定サイズに切断されたカット紙が積み重ねられて収容され該カット紙を最上位に積み重ねられたカット紙から順に一枚ずつ供給するカット紙収容部と、
前記ロール紙収容部が上部に配置されるとともに前記カット紙収容部が下部に配置される間の位置に配置された加温ヒータと、
前記ロール紙収容部および前記カット紙収容部のいずれかから供給された用紙上に画像を形成する画像形成部とを備えたことを特徴とする画像形成装置。
【発明の詳細な説明】
【０００１】
【発明の属する技術分野】
本発明は、記録紙を収容する複数の記録紙収容部を備えた給紙装置、およびその給紙装置を用いた画像形成装置に関する。
【０００２】
【従来の技術】
電子写真方式の複写機やプリンタ等の画像形成装置において、梅雨時のような多湿の環境下では記録紙の吸湿により画像形成部の転写機構で転写不良が発生する場合がある。そこで、特開平３−１０２０７５号公報には、筐体を二重構造にして記録紙収容部を外部環境から隔離するとともに、ファンとヒータを設けて記録紙収容部の温度を制御することにより、記録紙の吸湿を防止する技術が提案されている。また、特開昭６３−１０１２４７号公報には、ヒータと、そのヒータの熱気を循環させるファンと、そのファンによる熱風がロール紙に直接吹き付けられるのを防止する風向板とを備えて、記録紙の吸湿を防止する技術が提案されている。
【０００３】
【発明が解決しようとする課題】
しかし、筐体を二重構造にしてファンとヒータを設けたり、あるいはヒータとファンと風向板とを備えて、記録紙の吸湿を防止するのでは、装置が複雑化するとともにコストがアップするという問題がある。
【０００４】
本発明は、上記事情に鑑み、装置の簡素化およびコストの低減化が図られた給紙装置および画像形成装置を提供することを目的とする。
【０００５】
【課題を解決するための手段】
上記目的を達成する本発明の給紙装置は、
長尺の用紙が巻回されてなるロール紙を収容しそのロール紙を巻きほどき所定長に切断して供給するロール紙収容部と、
上記ロール紙収容部の下部に配置され、所定サイズに切断されたカット紙が積み重ねられて収容されそのカット紙を一枚ずつ供給するカット紙収容部と、
上記ロール紙収容部と上記カット紙収容部との間に配置された加温ヒータとを備えたことを特徴とする。
【０００６】
ここで、上記ロール紙収容部は引出し自在に構成され、上記加温ヒータは上記ロール紙収容部下部に取り付けられてそのロール紙収容部とともに引出されるものであることが好ましい。
【０００７】
また、上記目的を達成する本発明の画像形成装置は、
長尺の用紙が巻回されてなるロール紙を収容しそのロール紙を巻きほどき所定長に切断して供給するロール紙収容部と、
上記ロール紙収容部の下部に配置され、所定サイズに切断されたカット紙が積み重ねられて収容されそのカット紙を一枚ずつ供給するカット紙収容部と、
上記ロール紙収容部と上記カット紙収容部との間に配置された加温ヒータと、上記ロール紙収容部および上記カット紙収容部のいずれかから供給された用紙上に画像を形成する画像形成部とを備えたことを特徴とする。
【０００８】
【発明の実施の形態】
以下、本発明の実施形態について図面を参照して説明する。
【０００９】
図１は、本発明の一実施形態の給紙装置を用いた画像形成装置の断面図である。
【００１０】
図１に示す画像形成装置１００には、記録紙上に画像を形成する画像形成部１と、給紙装置２００と、この画像形成装置１００全体を制御する制御部９とが備えられている。
【００１１】
給紙装置２００には、筐体３内に配置されたロール紙収容部３０と、筐体４内に配置されたロール紙収容部４０と、筐体５内に配置されたカット紙収容部５０とが備えられている。  ロール紙収容部３０，４０は、長尺の用紙が巻回されてなるロール紙３００，４００を収容しそれらロール紙３００，４００を巻きほどき所定長に切断して搬送経路１１に向けて供給する。ここでいう搬送経路１１とは、カット紙収容部５０から記録紙が繰り出されてから画像形成部１の像転写位置に搬送するまでの経路をいう。
【００１２】
また、各ロール紙収容部３０，４０の下部には各加温ヒータ６０，７０が取り付けられている。加温ヒータ６０，７０は、筐体３，４に備えられた後述するレール機構部により、ロール紙収容部３０，４０とともに自在に引き出すことができる。
【００１３】
カット紙収容部５０は、ロール紙収容部４０の下部に配置され、所定サイズに切断されたカット紙５００が積み重ねられて収容されそれらカット紙５００を一枚ずつ搬送経路１１に向けて供給する。このカット紙収容部５０では、積み重ねられたカット紙５００の一番上の高さが、後述する送り出しローラ５１に対し常に一定となるように、モータ（図示せず）と制御部９により、カット紙５００を保持する底板５５がコントロールされる。また底板５５には、カット紙５００の有無やサイズを検知する反射型フォトセンサ５６が、この図の上面を向けて取り付けられている。さらに、図１に示す画像形成装置１００の詳細について説明する。
【００１４】
この画像形成装置１００に備えられた給紙装置２００には、ロール紙収容部３０，４０，カット紙収容部５０のうちの所定の記録紙収容部から記録紙が繰り出された場合にその記録紙を搬送経路１１に沿って画像形成部１に搬送するとともに、それらロール紙収容部３０，４０，カット紙収容部５０のうちの所定の記録紙収容部以外の記録紙収容部から記録紙が繰り出された場合にその記録紙を搬送経路１１の途中で受け取って画像形成部１に搬送する搬送ローラ３４＿１，３４＿２，４４＿１，４４＿２，５４が備えられている。画像形成部１は、ロール紙収容部３０，４０，カット紙収容部５０の中から選択された記録紙収容部から繰り出された記録紙上に、後述するようにして画像を形成する。
【００１５】
さらに、給紙装置２００には、各ロール紙収容部３０，４０，カット紙収容部５０から各ロール紙３００，４００，カット紙５００を繰り出す、各ロール紙収容部３０，４０，カット紙収容部５０に対応する各送り出しローラ３１，４１，５１が備えられている。
【００１６】
筐体３内では、ロール紙３００の、送り出しローラ３１によって送り出された先頭部分が、副搬送経路３２上に配置されたロータリーカッタ３３で切断され記録紙として搬送ローラ３４＿１により、搬送経路１１内に供給される。また、筐体４内では、ロール紙４００の、送り出しローラ４１によって送り出された先頭部分が、副搬送経路４２上に配置されたロータリーカッタ４３で切断され記録紙として搬送ローラ４４＿１により、搬送経路１１内に供給される。さらに、筐体５内では、積載されたカット紙５００が送り出しローラ５１によって１枚づつ繰り出され、さらに搬送ローラ５４により搬送経路１１内に供給される。
【００１７】
搬送経路１１内に供給された記録紙は、搬送ローラ３４＿１，３４＿２，４４＿１，４４＿２により画像形成部１に搬送される。尚、画像形成部１の、図１に示す右側面には、手差し給紙部６が設けられており、カット紙を手差し供給することにより画像形成部１に搬送することも可能である。
【００１８】
画像形成部１に搬送された記録紙は、さらに搬送ローラ１２によって下流へ搬送され、レジストローラ１３を経て感光体ドラム１４へ至る。この感光体ドラム１４の周囲には、帯電器１５と、現像器１６と、転写前コロトロン１７と、転写コロトロン１８と、クリ−ナ１９とが備えられている。帯電器１５によって感光体ドラム１４の表面が所定の電圧に一様に帯電され、次いで感光体ドラム１４の表面に、図示しない露光手段により画像に対応した露光が行なわれて静電潜像が形成される。感光体ドラム１４の表面に形成された静電潜像は、現像器１６によってトナ−が現像され、顕像化される。感光体ドラム１４上に形成されたトナ−像は、必要に応じて転写前コロトロン１７によって帯電を受け、次いで転写コロトロン１８の放電により記録紙上に転写される。トナー画像が転写された記録紙は、バキューム搬送部２０によって定着器２１へ導かれて定着が行なわれる。定着が終了した記録紙は排出ローラ２２によって記録紙排出口７から排出される。
【００１９】
一方、トナ−像の転写および記録紙への転写工程が終了した感光体ドラム１４の表面は、クリ−ナ１９によって残留トナ−が清掃されて、次の画像形成工程に備えられる。
【００２０】
また、給紙装置２００には、搬送経路１１の一部分を開閉自在に覆う搬送路ドア３６，４６が備えられており、記録紙がその部分で紙詰まりを起こした際に、搬送路ドア３６，４６を開けることにより記録紙を容易に除去することができる。
【００２１】
図２は、図１に示す給紙装置の筐体が引き出された状態を示す断面図である。
【００２２】
図２に示す筐体３に備えられたロール紙収容部３０の下部には、前述したように加温ヒータ６０が取り付けられている。この筐体３の下部側面にはレール機構部１０が備えられており、加温ヒータ６０はロール紙収容部３０とともにレール機構部１０によって、この図の右側に引き出される。
【００２３】
また、筐体４に備えられたロール紙収容部４０の下部には、やはり前述したように加温ヒータ７０が取り付けられている。この加温ヒータ７０もロール紙収容部４０とともに引き出すことができるが、ここでは図示省略する。
【００２４】
さらに、筐体５に備えられたカット紙収容部５０もロール紙収容部３０，４０と同様に画像形成装置１００本体から引き出すことができるが、やはり図示省略する。
【００２５】
図３は、図２に示す筐体の断面を拡大して示す図である。
【００２６】
図３に示す筐体３に備えられたロール紙収容部３０には、Ａ３サイズ（幅２９７ｍｍ）からＡ０サイズ（幅８４１ｍｍ）までのロール紙３００を収容することが可能であり、ロール紙３００は、送り出しローラ３１によって一定速度Ｖ（ｍｍ／ｓｅｃ）で図３の右上方向に送り出される。尚、送り出しローラ３１には、ロール紙３００の、切断動作後における先頭部分を、上記の方向とは逆方向へ巻き戻す働きもある。
【００２７】
送り出しローラ３１の下流には、ロール紙３００の幅を検知するための反射型フォトセンサ３７＿１がこの紙面の垂直方向に複数設けられている。イニシャライズ動作では、ロール紙３００から引き出された先頭部分は送り出しローラ３１によってフォトセンサ３７＿１の検知位置まで送り出されてサイズが検知された後、その先端位置が、フォトセンサ３７＿１下流に設けられたロータリーカッタ３３直前にまで達した時点で待機状態となる。
【００２８】
ここで、ロール紙３００が送り出しローラ３１によって送り出され、次いでロータリーカッタ３３が、原稿の長さ情報に応答したカット動作信号を受信する。すると、ロータリーカッタ３３の回転刃３３ａが回転し、その刃先３３ｂが固定刃３３ｃと連続的に擦り合わせられてロール紙３００が所定の長さに切断される。尚、ロータリーカッタ３３による切断中もロール紙３００は搬送され続けるため、切断部が搬送方向に対して垂直となるように、ロータリーカッタ３３はロール紙３００の搬送方向に対して斜めに取り付けられている。ロータリーカッタ３３の下流には、ロール紙３００の先端を検知する反射型フォトセンサ３７＿２および搬送ローラ３４＿１が設けられている。また、搬送ローラ３４＿２の下流には、ロール紙収容部４０，カット紙収容部５０からのロール紙４００、カット紙５００を検知するためのフォトセンサ３８が備えられている。
【００２９】
ロール紙収容部３０の下部には、プレート８０が配備されており、そのプレート８０上に加温ヒータ６０が２枚取り付けられている。以下、図４を参照して説明する。
【００３０】
図４は、加温ヒータの平面図である。
【００３１】
図４には、プレート８０と、そのプレート８０上に取り付けられた２枚の加温ヒータ６０が示されている。プレート８０は、鉄板を加工して形成されており、そのプレート８０には板バネ８１が備えられている。一方、加温ヒータ６０は、孔６１ａを有するアルミ板６１と、そのアルミ板６１にアルミ箔で挟まれて接着された電熱線６２とから構成されてなる面状のヒータである。加温ヒータ６０とプレート８０は互いに熱膨張率が異なるため、加温ヒータ６０はアルミ板６１の孔６１ａを介して板バネ８１でプレート８０に固定されている。本実施形態では、通電により加温ヒータ６０表面の温度が４０〜５０℃になるように、電熱線６２の抵抗値が設定される。
【００３２】
尚、ロール紙収容部４０の下部にも、プレート８０と同じプレートが配備されており、そのプレートに加温ヒータ７０が取り付けられている。また、このプレートの、カット紙収容部５０に対向する面は、黒色に処理されており、これによりカット紙収容部５０に収容されたカット紙５００が無くなった場合に、そのカット紙収容部５０に備えられた記録紙検知用フォトセンサ５６による誤検知が防止される。
【００３３】
ここで、図示しない装置本体のスイッチにより加温ヒータ６０，７０が通電される。すると、ロール紙３００，４００の巻き部および巻きほぐされた部分が加温ヒータ６０，７０の熱による自然対流で暖められ、またカット紙５００の、積み重ねられた束の上面は、加温ヒータ７０が固定されたプレートを介した輻射熱により暖められる。これにより、給紙されるべく待機しているロール紙３００，４００およびカット紙５００の吸湿を防止することができる。
【００３４】
本実施形態では、ロール紙収容部３０，４０下部の空間を利用してロール紙３００，４００，カット紙５００近傍で加温するものであるため、それらロール紙３００，４００，カット紙５００の吸湿にあたり、従来の、筐体を二重構造にしてファンとヒータを設けたり、あるいはヒータとファンと風向板とを備えた技術と比較し、装置の簡素化およびコストの低減化が図られる。また、ファンも不要なため消費電力も少なくて済む。
【００３５】
尚、本実施形態では、ロール紙収容部の下部にプレートを配備し、そのプレート上に加温ヒータを取り付けた例で説明したが、ロール紙収容部の下部に加温ヒータを直接取り付けてもよい。その場合、加温ヒータの、カット紙収容部に対向する面の色は、熱効率の点からして黒色が好ましい。
【００３６】
【発明の効果】
本発明によれば、装置の簡素化およびコストの低減化を図ることができる。
【図面の簡単な説明】
【図１】本発明の一実施形態の給紙装置を用いた画像形成装置の断面図である。
【図２】図１に示す給紙装置の筐体が引き出された状態を示す断面図である。
【図３】図２に示す筐体の断面を拡大して示す図である。
【図４】加温ヒータの平面図である。
【符号の説明】
１  画像形成部
３，４，５  筐体
６  手差し給紙部
７  記録紙排出部
９  制御部
１０  レール機構部
１１  搬送経路
１２，３４＿１．３４＿２，４４＿１，４４＿２，５４  搬送ローラ
１３  レジストローラ
１４  感光体ドラム
１５  帯電器
１６  現像器
１７  転写前コロトロン
１８  転写コロトロン
１９  クリーナ
２０  バキューム搬送部
２１  定着器
２２  排出ローラ
３０，４０  ロール紙収容部
３１，４１，５１  送り出しローラ
３２，４２  副搬送路
３３，４３  ロータリーカッタ
３３ａ  回転刃
３３ｂ  刃先
３３ｃ  固定刃
３６，４６  搬送路ドア
３７＿１，３７＿２，３８，５６  フォトセンサ
５０  カット紙収容部
５５  底板
６０，７０  加温ヒータ
６１  アルミ板
６１ａ  孔
６２  電熱線
８０  プレート
８１  板バネ
１００  画像形成装置
２００  給紙装置
３００，４００  ロール紙
５００  カット紙
【図１】
0003826611.tif 000002
【図２】
0003826611.tif 000003
【図３】
0003826611.tif 000004
【図４】
0003826611.tif 000005